(57)【要約】【課題】障害物等に衝突しても欠損を生じさせない。【解決手段】Ｌ型に屈曲して成る緩衝体１の立ち上がり部２の内側面2aに、コンクリート製品に対し接着及び剥離可能な粘着層３を設け、コンクリート製品の隅角部や側稜部を緩衝体１で被着保護する。【選択図】図５
2006117321.tif 000002
【特許請求の範囲】
【請求項１】
Ｌ型に屈曲させた緩衝体から成り、該緩衝体を構成する立ち上がり部及び平坦部の内側
面の夫々に、コンクリート製品に対し接着及び剥離可能な粘着層を設けたことを特徴とす
るコンクリート製品の欠損防止用ガード部材。
【請求項２】
粘着層は緩衝体の立ち上がり部の内側面にのみ設けたことを特徴とする請求項１記載の
コンクリート製品の欠損防止用ガード部材。
【請求項３】
緩衝体は左右側に二分する屈伸部を設けた方形板から成り、屈伸部には左右側の一方を
起曲して成る立ち上がり部の起立保持手段を設けたことを特徴とする請求項１又は２記載
のコンクリート製品の欠損防止用ガード部材。
【請求項４】
屈伸部は薄肉部を境界として左右の夫々へ上方傾斜すると共に、緩衝体の屈曲変形時に
衝合する傾斜面を設けて成り、該傾斜面の夫々には相互に嵌合する凹部と凸部から成り、
且つその嵌合状態で凸部の両側面を凹部の両側面が弾性的に挟持する様に成した起立保持
手段を設けたことを特徴とする請求項３記載のコンクリート製品の欠損防止用ガード部材
。
【請求項５】
屈伸部は薄肉部を境界として左右の夫々へ上方傾斜すると共に、緩衝体の屈曲変形時に
衝合する傾斜面を設けて成り、該傾斜面の夫々には相互に嵌合する凹部と凸部から成り、
且つその嵌合状態で凹部における凸部上面との衝合面が凸部上面を弾性的に押圧する様に
成した起立保持手段を設けたことを特徴とする請求項３記載のコンクリート製品の欠損防
止用ガード部材。
【請求項６】
屈伸部は薄肉部を境界として左右の夫々へ上方傾斜すると共に、緩衝体の屈曲変形時に
衝合する傾斜面を設けて成り、一方の傾斜面に設けた緩衝体の肉厚方向に貫通する貫通穴
と、該貫通穴を潜通して立ち上がり部の外側面に掛止する様に他方の傾斜面に突設した弾
性変形可能な爪片とから成る起立保持手段を設けたことを特徴とする請求項３記載のコン
クリート製品の欠損防止用ガード部材。
【発明の詳細な説明】
【技術分野】
【０００１】
本発明は、Ｕ字溝等のコンクリート製品の隅角部、側稜部等の欠損を防止するコンクリ
ート製品の欠損防止用ガード部材に関する。
【背景技術】
【０００２】
従来、コンクリート製のＵ字溝は、保管や運搬のために反転してピラミッド状に積載さ
れており、その積載移送中にその近傍に存する他のコンクリート製品やその他の傷害物に
衝突してＵ字溝の側壁における隅角部や側稜部に欠損を生じることがあった。
この様に、欠損を生じた場合、その部位を放置したままでは不良品となるので、その欠
損部位を補修せねばならないが、その作業には手間を要していた。
【０００３】
研究開発段階や出願段階で先行技術調査を行っておらず、記載すべき先行技術文献を知
りません。
【発明の開示】
【発明が解決しようとする課題】
【０００４】
そこで、本発明は、上記Ｕ字溝等のコンクリート製品の移送中に、その隅角部や側稜部
が障害物等に衝突しても欠損を生じさせない様にした欠損防止用ガード部材を提供するこ
とを目的としている。
【課題を解決するための手段】
【０００５】
本発明は、Ｌ型に屈曲させた緩衝体から成り、該緩衝体を構成する立ち上がり部及び平
坦部の内側面の夫々、又は立ち上がり部の内側面のみに、コンクリート製品に対し接着及
び剥離可能な粘着層を設け、コンクリート製品の隅角部や側稜部を緩衝体で被着保護する
様にして、上記課題を解決する。
又、緩衝体は左右側に二分する屈伸部を設けた方形板から成り、屈伸部には左右側の一
方を起曲して成る立ち上がり部の起立保持手段を設けても良い。
又、屈伸部は薄肉部を境界として左右の夫々へ上方傾斜すると共に、緩衝体の屈曲変形
時に衝合する傾斜面を設けて成り、該傾斜面の夫々には相互に嵌合する凹部と凸部から成
る起立保持手段を設けたり、又は一方の傾斜面に設けた緩衝体の肉厚方向に貫通する貫通
穴と、該貫通穴を潜通して立ち上がり部の外側面に掛止する様に他方の傾斜面に突設した
弾性変形可能な爪片とから成る起立保持手段を設けても良い。
【発明の効果】
【０００６】
要するに請求項１に係る発明によれば、コンクリート製品において障害物等との衝突に
より欠損を生じ易い隅角部や側稜部を構成する側壁外側面と接地面の夫々に、Ｌ型に屈曲
させた緩衝体の内側面を粘着層を介して接着することにより、コンクリート製品の前記部
位を緩衝体で被着保護でき、積載移送中のコンクリート製品がその近傍の他のコンクリー
ト製品やその他の障害物に衝突することや着地面に降ろすことで生ずる衝撃を緩和でき、
欠損の発生を防止できる。
又、本発明によれば、緩衝体の平坦部が積載状態において着地面上に介在しているため
、従来その積載状態においてコンクリート製品下部に介在させていた飼木を不要とするこ
とができると共に、コンクリート製品を上積みする度にその着地面上に飼木を設置する作
業をも省略でき、安全にして効率的に積載作業を行うことができる。
そして、コンクリート製品の現場での施工時には、粘着層と共に緩衝体をコンクリート
製品から取り外すことで支障なく、通常通り施工できる。
【０００７】
請求項２に係る発明によれば、コンクリート製品において障害物等との衝突により欠損
を生じ易い隅角部や側稜部を構成する側壁外側面と接地面のうち側壁外側面には粘着層を
介して立ち上がり部を接着すると共に、立ち上がり部に対し屈曲配置して成る緩衝体の平
坦部を接地面に当接する様にして、コンクリート製品の前記部位を緩衝体で被着保護でき
るので、請求項１に係る発明と同様に、積載移送中のコンクリート製品がその近傍の他の
コンクリート製品やその他の障害物に衝突することや着地面に降ろすことで生ずる衝撃を
緩和でき、欠損の発生を防止できると共に、緩衝体の平坦部が飼木の役割を果たすことが
できるため、安全にして効率的に積載作業を行うことができる。
更に、緩衝体は、その立ち上がり部に設けた粘着層にてコンクリート製品の側壁外側面
に接着されることのみで取付けられ、請求項１に係る発明と同様な効果を奏するので、平
坦部に粘着層を設けない分だけ、コストを低減できると共に、特にＵ字溝などの様に保管
時等において反転してピラミッド状に積層されるコンクリート製品にあっては、緩衝体は
その平坦部が反転状態で接地面となる側壁上端面に当接する様にして立ち上がり部を粘着
層を介して側壁外側面に接着されることになるため、そのＵ字溝の施工時にこれより粘着
層と共に緩衝体を取り外した場合、側壁外側面に粘着層の一部が残存したとしても、その
部分は施工後埋められて見えず、施工後において露出する側壁上端面には、単に平坦部が
当接されていただけのため、何等の痕跡が残ることはなく、見栄えを悪くすることがない
。
【０００８】
請求項３に係る発明によれば、緩衝体は左右側に二分する屈伸部を設けた方形板から成
り、使用前状態で平板のため嵩張らずに積み重ねできるので、緩衝体を多数ひとまとめに
梱包するのが容易であり、保管場所にもその多数をコンパクトに納めることができる。
又、屈伸部には左右側の一方を起曲して成る立ち上がり部の起立保持手段を設けたので
、使用時において、緩衝体をＬ型に屈曲変形した状態を保持でき、コンクリート製品への
取付けが簡単容易に行える。
【０００９】
請求項４に係る発明では、屈伸部は薄肉部を境界として左右の夫々へ上方傾斜すると共
に、緩衝体の屈曲変形時に衝合する傾斜面を設けて成るので、その屈曲変形時には、薄肉
部で屈曲すれば左右の傾斜面は衝合するためＬ型に簡単に変形できる。
しかも、傾斜面の夫々には相互に嵌合する凹部と凸部から成り、且つその嵌合状態で凸
部の両側面を凹部の両側面が弾性的に挟持する起立保持手段を設けたので、緩衝体の屈曲
変形により左右の傾斜面が衝合すると同時に、凹部の両側面が凸部の両側面を弾性的に挟
持して凸部と凹部が嵌合するため、その嵌合状態を確実にして堅固に保持できると共に傾
斜面の衝合状態を堅固に保持でき、よって平坦部に対し起曲する立ち上がり部の起立状態
を保持できる。
本発明によれば、上記の様に簡単な構成からなるので、その成形が容易で安価に製造で
きる。
【００１０】
請求項５に係る発明では、屈伸部は薄肉部を境界として左右の夫々へ上方傾斜すると共
に、緩衝体の屈曲変形時に衝合する傾斜面を設けて成るので、その屈曲変形時には、薄肉
部で屈曲すれば左右の傾斜面は衝合するためＬ型に簡単に変形できる。
しかも、傾斜面の夫々には相互に嵌合する凹部と凸部から成り、且つその嵌合状態で凹
部における凸部上面との衝合面が凸部上面を弾性的に押圧する様に成した起立保持手段を
設けたので、緩衝体の屈曲変形により左右の傾斜面が衝合すると同時に、凹部の衝合面が
凸部上面を弾性的に押圧して凸部と凹部が嵌合するため、その嵌合状態を確実にして堅固
に保持できると共に傾斜面の衝合状態を堅固に保持でき、よって平坦部に対し起曲する立
ち上がり部の起立状態を保持できる。
本発明によれば、上記の様に簡単な構成からなるので、その成形が容易で安価に製造で
きる。
【００１１】
請求項６に係る発明では、屈曲部は薄肉部を境界として左右の夫々へ上方傾斜すると共
に、緩衝体の屈曲変形時に衝合する傾斜面を設けて成るので、その屈曲変形時には、薄肉
部で屈曲すれば左右の傾斜面は衝合するためＬ型に簡単に変形できる。
しかも、一方の傾斜面に設けた緩衝体の肉厚方向に貫通する貫通穴と、該貫通穴を潜通
して立ち上がり部の外側面に掛止する様に他方の傾斜面に突設した弾性変形可能な爪片と
から成る起立保持手段を設けたので、緩衝体のＬ型への変形時において貫通穴を爪片が潜
通する間に弾性変形し、貫通穴の潜通後、弾性復帰して立ち上がり部の外側面に掛止でき
、かかる状態の爪片によって立ち上がり部の倒伏を抑止して平坦部に対する立ち上がり部
の起立状態を堅固に保持できる。
本発明によれば、上記の様に簡単な構成からなるので、その成形が容易で安価に製造で
きる等その実用的効果甚だ大である。
【発明を実施するための最良の形態】
【００１２】
以下本発明の実施の形態としての実施例を図面に基づいて説明する。
図１〜９に示す欠損ガード用防止部材は、硬質の合成樹脂製にして一体成形された横長
な方形板をＬ型に屈曲変形して成る緩衝体１と、屈曲変形状態における緩衝体１の立ち上
がり部２の内側面2aに設けた粘着層３とから主に構成されている。
【００１３】
緩衝体１は、使用前の扁平な展開状態において、その長手方向の中間部でその幅方向に
渡って左右に２分（図示例では２等分）する屈伸部４を設け、緩衝体１において、屈伸部
４の左側又は右側の一方（図示例では左側）を他方に対し屈伸部４で曲起して成る立ち上
がり部２と成し、他方を平坦部５と成している。
そして、屈伸部４には、緩衝体１をＬ型に屈曲変形した状態で立ち上がり部２の起立状
態を保持する起立保持手段６を設けている。
屈伸部４は、左右側の立ち上がり部２と平坦部５とが屈伸自在に連結される様に緩衝体
１の幅方向に渡って薄肉部７を設け、該薄肉部７を介してその左右に有する立ち上がり部
２と平坦部５の連結端部の夫々には、該薄肉部７を境界としてその左右の夫々へ上方傾斜
すると共に、緩衝体１の屈曲変形時に衝合する傾斜面８、９を設けており、該傾斜面８、
９はその勾配を４５度と成している。
【００１４】
起立保持手段６は、傾斜面８、９の夫々に、相互に嵌合する様に設けた凹部10と凸部11
とから成る。
凹部10は、立ち上がり部６の連結端部に設けた傾斜面８に所定幅を以て緩衝体１の肉厚
方向に貫設して成る傾斜面８の断面形状に対応した貫通穴である。
凸部11は、平坦部５の連結端部に設けた傾斜面９において凹部10に対応する部位に該凹
部10の断面形状に略合致する様に突設した直角三角形状の板片である。
そして、凹部10と凸部11の嵌合状態で、凸部11における幅方向の両側面11ａが、凹部10
における幅方向の両側面10ａで弾性的に挟持される様に、凸部11の幅より凹部10の幅を若
干狭めている。
【００１５】
立ち上がり部２と平坦部５とは、傾斜面８、９に設けた凹部10と凸部11を除き、薄肉部
７を対称軸とした左右対称形状であり、緩衝体１の展開状態において、傾斜面８、９を有
する連結端部を除く立ち上がり部２と平坦部５の裏面2b、5bには縦横に凹溝12、13を形成
し、凹溝12、13の交差部には、各表面2a、5aへ至る方形状の透孔14を貫設している。
尚、凹溝12、13は形成しなくても良い。
そして、屈曲変形した状態で立ち上がり部２の内側面2aに相当する表面2aにおいて、そ
の全面又は半面（図示例では連結端部寄りの半面）には、コンクリート製品Ｗに対し接着
及び剥離可能なゴム系粘着剤などから成る粘着層３を接着し、該粘着層３の表面には剥離
紙15を貼着している。
尚、粘着層３は、上記の様に立ち上がり部２の内側面2aのみに設けるのが望ましいが、
該内側面2aと共に平坦部５の内側面5aにもその全面又は半面に粘着層３を設けても良い。
【００１６】
次に第二実施例について図10〜19に基づいて説明する。
この欠損ガード用防止部材は、起立保持手段６における凹部10と凸部11の形状を主に変
形したものであり、上記と同一又は相当部分には同じ符号を付し、説明を省略する。
起立保持手段６は、上記と同様に、傾斜面８、９の夫々に、相互に嵌合する様に設けた
凹部10と凸部11とから成るが、その嵌合状態では、凹部10における凸部11の上面11ｂとの
衝合面10ｂ（緩衝体１の展開状態で凸部11の垂直壁に対峙する凹部10の側面に相当）が凸
部11の上面11ｂを弾性的に押圧する様に、凹部10における薄肉部７との間隙Ｘを凸部11の
高さより若干狭め（図10〜13において誇張して示す）ている。
尚、図示例では、凸部11は、凹部10よりも薄肉に形成しているが、凸部11の幅と略同肉
厚でも良い。
又、立ち上がり部２及び平坦部５は、上記の様な凹溝12、13を形成することなく、その
適所には、その表裏面2a、5a、2b、5bを貫通する正方形や長方形状の透孔14を整然と配列
している。
【００１７】
次に第三実施例について図20〜29に基づいて説明する。
この欠損ガード用防止部材は、起立保持手段６を主に変形したものであり、上記と同一
又は相当部分には同じ符号を付し、説明を省略する。
起立保持手段６は、一方の傾斜面８において、その長手方向適所に緩衝体１の肉厚方向
に貫通する様に傾斜面８の断面形状に対応して設けた貫通穴16と、他方の傾斜面９におい
て、緩衝体１の屈曲変形時に、貫通穴16を潜通して立ち上がり部２の外側面2b（緩衝体１
の展開状態の裏面2bに相当）に掛止する様に突設した弾性変形可能な爪片17とから成る。
傾斜面９において、貫通穴16との対応部位には、該貫通穴16の断面形状に合致すると共
に、その幅よりも薄肉な直角三角形板状の突片18を突設している。
そして、突片18において貫設穴16に対峙する側壁（緩衝体１の展開状態における垂直壁
）面に膨出形成した肉盛り部19に上方連続する爪片17を突片18の上端面より上方突設して
いる。
又、立ち上がり部２及び平坦部５の適所には、第二実施例と同様に、その表裏面2a、5a
、2b、5bを貫通する正方形や長方形状の透孔14を整然と配列している。
【００１８】
上記の様に構成された欠損ガード用防止部材は、使用に際して緩衝体１を展開状態から
Ｌ型に屈曲変形して使用する。
屈曲変形した緩衝体１は、コンクリート製品Ｗの移送中に障害物等に衝突して欠損し易
い下部の隅角部や側稜部に取付けられるのが好ましいが、その他の隅角部や側稜部に取付
けても良い。
図９、19、29の夫々にはＵ字溝から成るコンクリート製品Ｗに対する第一乃至第三実施
例の一使用例を示す。
この種のコンクリート製品（Ｕ字溝）Ｗは、保管、運搬時には、反転状態でピラミッド
状に積載されるので、その側壁の外側面W1と（反転状態で接地面となる）上端面W2とで構
成される隅角部又は側稜部（図示例では隅角部）に緩衝体１を取付ける。
【００１９】
先ず、第一、第二実施例の緩衝体１の屈曲変形にあっては、薄肉部７を折り目として立
ち上がり部２を平坦部５に対し曲起すると、傾斜面８、９が相互に衝合し、同時に傾斜面
８に設けた凹部10に傾斜面９に突設した凸部11が嵌合する。
かかる嵌合状態にあっては、第一実施例の緩衝体１では、凹部10の両側面10ａが凸部11
の両側面11ａを弾性的に挟持することにより、又第二実施例の緩衝体１では、凹部10にお
ける上面11ｂとの衝合面10ｂが凸部11の上面11ｂを弾性的に押圧することにより、その嵌
合状態が確実にして堅固に保持され、これにより立ち上がり部２の直立した起立状態が保
持される。
又、第三実施例における緩衝体１の屈曲変形にあっては、上記と同様に、薄肉部７を折
り目として立ち上がり部２を平坦部５に対し曲起することで傾斜面８、９が相互に衝合す
る。
この衝合時において、傾斜面８に設けた貫通穴16には、傾斜面９に突設した突片18の上
端面より爪片17が突出しているので、爪片17はその材質特性により屈曲状に弾性変形して
突片18と共に貫通穴16内を通過し、該貫通穴16を潜り抜けると同時に弾性復帰して立ち上
がり部２の外側面2bにおける貫通穴16の出口周縁に掛止し、これにより立ち上がり部２の
倒伏を抑止してその直立した起立状態が保持される。
【００２０】
そして、起立状態における立ち上がり部２の内側面2aに設けた粘着層３表面の剥離紙15
を剥がし、その接着面を露出させる。
次いで、Ｕ字溝Ｗの隅角部や側稜部を構成する側壁上端面W2に平坦部５を当接させると
共に、側壁外側面W1に粘着層３を介して立ち上がり部２を接着する。
又、立ち上がり部２及び平坦部５の両内側面2a、5aに粘着層３を設けた緩衝体１にあっ
ては、側壁外側面W1及び側壁上端面W2の夫々に各粘着層３を介して立ち上がり部２及び平
坦部５を接着する。
この様に、隅角部や側稜部に緩衝体１を取付けた後、Ｕ字溝Ｗは反転して吊り下げられ
て積載される。
この積載移送中において、Ｕ字溝Ｗがその近傍の他のＵ字溝Ｗやその他の障害物に衝突
することで生ずる衝撃や着地面（保管場所の地表又は他の反転されたＵ字溝Ｗ上面）に降
ろすことで生ずる衝撃を緩衝体１にて緩和して欠損の発生を防止する。
又、Ｕ字溝Ｗを現場に敷設した後において、緩衝体１は粘着層３と共にＵ字溝Ｗから剥
がし取ることにより、通常通りの施工を行うことができる。
尚、図示例のＵ字溝などの様に、その施工後、緩衝体１で被着した部分が地表に露出す
る場合には、立ち上がり部２のみに粘着層３を設けたものを使用するのが好ましい。
それは、緩衝体１は立ち上がり部２に設けた粘着層３によってのみＵ字溝Ｗに取付けら
れているだけのため、緩衝体１の取り外しによって粘着層３の一部がＵ字溝Ｗの表面に残
存しても、その部分は施工後埋められてしまう側壁外側面W1であり、施工後地表に露出す
る側壁上端面W2は平坦部５が当接されただけのため、その表面には粘着層３が残存するこ
とはなく、見栄えに影響はないからである。
【図面の簡単な説明】
【００２１】
【図１】欠損ガード用防止部材の展開状態を示す平面図である。
【図２】同上正面図である。
【図３】同上底面図である。
【図４】図１のＡーＡ断面図である。
【図５】屈曲変形状態の正面図である。
【図６】同上右側面図である。
【図７】同上左側面図である。
【図８】図６のＢーＢ断面図である。
【図９】使用状態の一例を示す図である。
【図１０】第二実施例の展開状態を示す平面図である。
【図１１】同上正面図である。
【図１２】同上底面図である。
【図１３】図１０のＣーＣ断面図である。
【図１４】屈曲変形状態の正面図である。
【図１５】同上平面図である。
【図１６】同上右側面図である。
【図１７】同上左側面図である。
【図１８】図１４のＤーＤ断面図である。
【図１９】使用状態の一例を示す図である。
【図２０】第三実施例の展開状態を示す平面図である。
【図２１】同上正面図である。
【図２２】同上底面図である。
【図２３】図２０のＥーＥ断面図である。
【図２４】屈曲変形状態の正面図である。
【図２５】同上平面図である。
【図２６】同上右側面図である。
【図２７】同上左側面図である。
【図２８】図２５のＦーＦ断面図である。
【図２９】使用状態の一例を示す図である。
【符号の説明】
【００２２】
１    緩衝体
２    立ち上がり部
2a    内側面
2b    外側面
３    粘着層
４    屈伸部
５    平坦部
5a    内側面
６    起立保持手段
７    薄肉部
８    傾斜面
９    傾斜面
10    凹部
10ａ  両側面
10ｂ  衝合面
11    凸部
11ａ  両側面
11ｂ  上面
16    貫通穴
17    爪片
Ｗ    コンクリート製品
【図１】
2006117321.tif 000003
【図２】
2006117321.tif 000004
【図３】
2006117321.tif 000005
【図４】
2006117321.tif 000006
【図５】
2006117321.tif 000007
【図６】
2006117321.tif 000008
【図７】
2006117321.tif 000009
【図８】
2006117321.tif 000010
【図９】
2006117321.tif 000011
【図１０】
2006117321.tif 000012
【図１１】
2006117321.tif 000013
【図１２】
2006117321.tif 000014
【図１３】
2006117321.tif 000015
【図１４】
2006117321.tif 000016
【図１５】
2006117321.tif 000017
【図１６】
2006117321.tif 000018
【図１７】
2006117321.tif 000019
【図１８】
2006117321.tif 000020
【図１９】
2006117321.tif 000021
【図２０】
2006117321.tif 000022
【図２１】
2006117321.tif 000023
【図２２】
2006117321.tif 000024
【図２３】
2006117321.tif 000025
【図２４】
2006117321.tif 000026
【図２５】
2006117321.tif 000027
【図２６】
2006117321.tif 000028
【図２７】
2006117321.tif 000029
【図２８】
2006117321.tif 000030
【図２９】
2006117321.tif 000031